(57)【要約】      （修正有）【課題】部品点数を少なくすることができ、構造を簡素化でき、製作コストを低廉化でき、設計の自由度を向上させることができるカバーの取り付け構造、及び、画像形成装置を提供する。【解決手段】仮り保持機構５０は、第１被支持部３９と第１支持部２８から成り、下側カバー２０の下部に第２被支持部が設けられ、下側カバー２０を支持する第２支持部が装置本体１０に設けられ、下側カバー２０が、装置本体１０に対して揺動開閉自在に、かつ、装置本体１０の内外方向に移動自在に構成され、下側カバー２０を仮り保持する際には、閉じ揺動させた下側カバー２０を上昇させてフラップ３４を上側カバーの下端部の裏側に挿入し、下側カバー２０を装置本体１０側に移動させ下降させて、第１被支持部３９を第１支持部２８に係止させるよう構成されている。【選択図】図１６
2020140023.tif 000002
【特許請求の範囲】
【請求項１】
上下に隣接する上側カバーと下側カバーが装置本体に取り付けられ、
前記下側カバーの上端部に設けられたフラップが、前記上側カバーの下端部の裏側に位置し、
前記下側カバーの前記装置本体への本固定前に、前記下側カバーを仮り保持する仮り保持機構が設けられているカバーの取り付け構造であって、
前記仮り保持機構は、
前記下側カバーの上部の裏側に設けられた下向きフック状の第１被支持部と、
前記装置本体に設けられ、前記第１被支持部を係止させて支持する第１支持部とから成り、
前記下側カバーの下部に第２被支持部が設けられ、
前記第２被支持部を載置させて前記下側カバーを支持する第２支持部が前記装置本体に設けられ、
前記第２支持部に支持された前記下側カバーが、前記装置本体に対して揺動開閉自在に、かつ、前記装置本体の内外方向に移動自在に構成され、
前記下側カバーを前記装置本体の外側から前記装置本体側に閉じ揺動させた状態で、前記下側カバーのフラップは、前記上側カバーの下端部の下側に位置するとともに、前記下側カバーは、本固定位置よりも装置本体の外側に位置し、
前記上側カバーの下端部の下側に位置したフラップは、前記下側カバーを前記装置本体に対して昇降させるに伴って、前記上側カバーの下端部の裏側に挿抜され、
前記下側カバーを仮り保持する際には、
閉じ揺動させた前記下側カバーを前記装置本体に対し上昇させて、前記フラップを前記上側カバーの下端部の裏側に挿入し、前記下側カバーを前記装置本体側に移動させ下降させて、前記第１被支持部を前記第１支持部に係止させるよう構成されているカバーの取り付け構造。
【請求項２】
前記上側カバーの下端部の下側に位置したフラップは、上端側ほど前記装置本体側に位置する傾斜姿勢に形成されている請求項１記載のカバーの取り付け構造。
【請求項３】
前記第１被支持部のフック爪の上下方向の長さは、前記上側カバーの外面の下端と前記下側カバーの外面の上端との間の隙間の１／２以下に設定されている請求項１又は２記載のカバーの取り付け構造。
【請求項４】
前記第２被支持部は下向きフック状に形成され、
前記第２支持部は、前記第２被支持部のフック爪が上側から挿入係止する係止孔を備えている請求項１〜３のいずれか一つに記載のカバーの取り付け構造。
【請求項５】
請求項１〜４のいずれか一つに記載のカバーの取り付け構造を備えた画像形成装置。
【発明の詳細な説明】
【技術分野】
【０００１】
本発明は、カバーの取り付け構造、及び、画像形成装置に関する。
【背景技術】
【０００２】
一般に、画像形成装置などの装置の装置本体には、上下に隣接する上側カバーと下側カバーが取り付けられている。そして、下側カバーの上端部に設けられたフラップが、上側カバーの下端部の裏側に位置して、下側カバーの外面の上端と上側カバーの外面の下端との間の隙間を目立たなくしている。
このような画像形成装置には、下側カバーの装置本体への本固定の前に下側カバーを仮り保持する仮り保持機構が設けられている。これにより、下側カバーの本固定作業や本固定の解除作業の際に作業者が両手を使うことができて、作業性を向上させることができる。
従来、前記仮り保持機構は、装置本体と下側カバーとの間に、下側カバーをバネにより上昇付勢するバネ機構を設けて構成されていた（特許文献１参照）。
特許文献１の図６，図７に開示されているように、下側カバーの下端部には、上下逆Ｕ字状の被支持部が設けられている。そして、この被支持部が、装置本体側の支持部に、装置本体の内外方向に揺動自在に下側から支持されている。
この構造により、バネの付勢力で下側カバーを上昇させ、前記フラップを上側カバーの下端部と装置本体の壁面との間に位置させて、下側カバーを略鉛直姿勢に仮り保持する（特許文献１の図６参照）。
そして、メンテナンス時に下側カバーを装置本体から取り外す場合、作業者が下側カバーをバネの付勢力に抗して下降させ、フラップを上側カバーの下端部の下方に位置させる。その状態で、下側カバーを装置本体の外側に開き揺動させて装置本体から取り外す。
この手段によれば、上側カバーを装置本体から取り外さなくても下側カバーを装置本体から取り外すことができて、作業性をより向上させることができる。
【先行技術文献】
【特許文献】
【０００３】
【特許文献１】特開２０１６−９２２４４号公報
【発明の概要】
【発明が解決しようとする課題】
【０００４】
特許文献１の技術によれば、上記の利点があるものの、仮り保持機構がバネ機構により構成されていたために、部品点数が多くなり、構造が複雑化し、製作コストが高くなっていた。
また、下側カバーが板金製である場合、下側カバーが重いことから、バネを強化したりバネを複数個設けたりしなければならなかった。その結果、より、部品点数が多くなり、構造が複雑化し、製作コストが高くなっていた。
さらに、バネ機構は下側カバーの裏側に配置されるために、下側カバーの裏側にバネ機構を収容するスペースが必要であり、設計の自由度が低かった。
本発明は、上記実状に鑑みて成されたものである。その目的は、部品点数を少なくすることができ、構造を簡素化でき、製作コストを低廉化でき、設計の自由度を向上させることができるカバーの取り付け構造、及び、これを備えた画像形成装置を提供する点にある。
【課題を解決するための手段】
【０００５】
本発明の一局面のカバーの取り付け構造は、上下に隣接する上側カバーと下側カバーが装置本体に取り付けられ、前記下側カバーの上端部に設けられたフラップが、前記上側カバーの下端部の裏側に位置し、前記下側カバーの前記装置本体への本固定前に、前記下側カバーを仮り保持する仮り保持機構が設けられているカバーの取り付け構造である。前記仮り保持機構は、前記下側カバーの上部の裏側に設けられた下向きフック状の第１被支持部と、前記装置本体に設けられ、前記第１被支持部を係止させて支持する第１支持部とから成る。そして、前記下側カバーの下部に第２被支持部が設けられ、前記第２被支持部を載置させて前記下側カバーを支持する第２支持部が前記装置本体に設けられ、前記第２支持部に支持された前記下側カバーが、前記装置本体に対して揺動開閉自在に、かつ、前記装置本体の内外方向に移動自在に構成されている。前記下側カバーを前記装置本体の外側から前記装置本体側に閉じ揺動させた状態で、前記下側カバーのフラップは、前記上側カバーの下端部の下側に位置するとともに、前記下側カバーは、本固定位置よりも装置本体の外側に位置する。前記上側カバーの下端部の下側に位置したフラップは、前記下側カバーを前記装置本体に対して昇降させるに伴って、前記上側カバーの下端部の裏側に挿抜される。前記下側カバーを仮り保持する際には、閉じ揺動させた前記下側カバーを前記装置本体に対し上昇させて、前記フラップを前記上側カバーの下端部の裏側に挿入し、前記下側カバーを前記装置本体側に移動させ下降させて、前記第１被支持部を前記第１支持部に係止させるよう構成されている。
【０００６】
本発明の他の局面の画像形成装置は、上記のカバーの取り付け構造を備えている。
【発明の効果】
【０００７】
本発明によれば、部品点数を少なくすることができ、構造を簡素化でき、製作コストを低廉化でき、設計の自由度を向上させることができるカバーの取り付け構造、及び、これを備えた画像形成装置を提供することができる。
【図面の簡単な説明】
【０００８】
【図１】図１は、画像形成装置を斜め後ろ側から見た全体斜視図である。
【図２】図２は、画像形成装置の背面の下部の斜視図である。
【図３】図３は、下側カバーを取り外した状態の画像形成装置の背面の下部の斜視図である。
【図４】図４は、装置本体に対して下側カバーを傾斜させた状態の画像形成装置の背面の下部の斜視図である。
【図５】図５は、下側カバーを裏側から見た斜視図である。
【図６】図６は、装置本体の左側（装置本体の後方から見て左側、以下同じ）の第１支持フレームを、装置本体の左斜め後ろ側から見た斜視図である。
【図７】図７は、装置本体の左側の第１支持フレームを、装置本体の右斜め後ろ側から見た斜視図である。
【図８】図８は、装置本体の第１支持フレームの第２長孔とその周辺の構造を、装置本体の左斜め後ろ側から見た斜視図である。
【図９】図９は、装置本体の第１支持フレームの第２長孔とその周辺の構造を、装置本体の右斜め後ろ側から見た斜視図である。
【図１０】図１０は、装置本体の第１支持フレームの第１長孔とその周辺の構造を、装置本体の左斜め後ろ側から見た斜視図である。
【図１１】図１１は、装置本体の第１支持フレームの第１長孔とその周辺の構造を、装置本体の右斜め後ろ側から見た斜視図である。
【図１２】図１２は、装置本体の右側（装置本体の後方から見て右側、以下同じ）の第１支持フレームを、装置本体の右斜め後ろ側から見た斜視図である。
【図１３】図１３は、下側カバーの右側の第２フック部とその周辺の構造、及び、右側の第３フック部とその周辺の構造を、下側カバーの裏側から見た斜視図である。
【図１４】図１４は、下側カバーの右側の第２フック部とその周辺の構造、及び、右側の第３フック部とその周辺の構造を、下側カバーの裏側下方から見た斜視図である。
【図１５】図１５は、下側カバーの右側の第１突出片とフラップとその周辺の構造を、下側カバーの裏側から見た斜視図である。
【図１６】図１６は、下側カバーの左側の第１フック部と、装置本体の第１支持フレームの左側の第１長孔とから成る仮り保持機構を示す斜視図である。
【図１７】図１７は、下側カバーの左側の第３フック部と、装置本体の第１支持フレームの左側の第２長孔と、それらの周辺の構造を示す斜視図である。
【図１８】図１８は、下側カバーの右側の第１フック部と、装置本体の第１支持フレームの第１長孔とから成る仮り保持機構を示す斜視図である。
【図１９】図１９は、下側カバーの右側の第３フック部と、装置本体の第１支持フレームの第２長孔とを示す斜視図である。
【図２０】図２０は、下側カバーの係止片が装置本体の第２支持フレームの係止孔に挿入された状態を示す縦断側面図である。
【図２１】図２１は、下側カバーが装置本体に対して傾斜した状態を示す縦断側面図である。
【図２２】図２２は、装置本体の第１支持フレームの第１長孔と、第１長孔の外側下方に位置する下側カバーの第１フック部と、それらの周辺の構造を示す縦断側面図である。
【図２３】図２３は、装置本体の第１支持フレームの第１長孔と、第１長孔に対向する下側カバーの第１フック部と、それらの周辺の構造を示す縦断側面図である。
【図２４】図２４は、装置本体の第１支持フレームの第１長孔と、第１長孔内の下側カバーの第１フック部と、それらの周辺の構造を示す縦断側面図である。
【図２５】図２５は、下側カバーの第１フック部が、装置本体の第１支持フレームの第１長孔に挿入係止して、第１長孔に下側から支持された状態を示す縦断側面図である。
【図２６】図２６は、下側カバーのフラップが、上側カバーの下端部の下側に位置した状態を示す側面図である。
【図２７】図２７は、下側カバーのフラップが、上側カバーの下端部の裏面に当接した状態を示す側面図である。
【図２８】図２８は、下側カバーのフラップが、上側カバーの下端部の裏側に位置している状態（図２９の状態）から、下側カバーが装置本体に対して上昇した状態を示す側面図である。
【図２９】図２９は、下側カバーのフラップが、上側カバーの下端部の裏側に位置している状態を示す側面図である。
【発明を実施するための形態】
【０００９】
以下、本発明を実施するための形態を図面に基づいて説明する。
図１は画像形成装置１の全体斜視図である。この画像形成装置１は、画像読取部２と画像形成部３を備えている。画像形成装置１は、プリンター、複写機、ファクシミリ、複合機などである。
【００１０】
［画像読取部２の構造］
画像読取部２は、原稿台４と画像走査部（図示せず）と原稿台カバー５を備え、原稿台カバー５にＡＤＦ６が設けられている。
【００１１】
画像走査部は、原稿台４に載置された原稿を走査する。この画像走査部は原稿に光を照射する。その反射光は、イメージセンサー（図示せず）により画像データに変換される。また、画像走査部は、ＡＤＦ６が搬送する原稿に光を照射する。その反射光は、イメージセンサーにより画像データに変換される。
【００１２】
［画像形成部３の構造］
画像形成部３は、シート搬送部と像担持体と帯電部と光走査部と現像部と転写部と定着部（以上、図示せず）を備えている。帯電部は、像担持体の表面の感光層を帯電させる。光走査部は、像担持体の表面に静電潜像を書き込む。現像部は、像担持体に現像剤を供給して静電潜像を顕像化する。
【００１３】
そして、シート搬送部がシート材を搬送し、転写部が像担持体の表面の現像剤の像を搬送中のシート材に転写する。さらに、定着部がシート材の現像剤の像を加熱・加圧し、シート材に画像を定着する。
【００１４】
［カバーの取り付け構造］
図１，図２に示すように、画像形成装置１の装置本体１０の後部（背部）に、上下に隣接する下側カバー２０と左右一対の上側カバー２１，２２が取り付けられている。装置本体１０の後方から見て左側の上側カバー２１は、下側カバー２０の左側の部分に上側から隣接する。右側の上側カバー２２は、下側カバー２０の右側の部分に上側から隣接する。
【００１５】
［装置本体１０の後部の構造］
図１，図３に示すように、装置本体１０の後部の左右両コーナー部に、下側カバー２０を支持する板状の第１支持フレーム２３がそれぞれ設けられている。図６，図１２に示すように、第１支持フレーム２３は、装置本体１０の側壁２４の後端部を装置本体１０の左右中央側に折り曲げて構成されている。
【００１６】
第１支持フレーム２３の前記左右中央側の側部は、装置本体１０の前方側に凹む段差部２５（図９参照）に構成されている。装置本体１０の後方を向く段差面部２６の上端部には切り欠き２７（図６，図７，図１１参照）が形成されている。
【００１７】
そして、前記段差面部２６の上端部に上下方向に長い第１長孔２８（第１支持部に相当）が形成されている（図１０，図１１，図１２，図１８参照）。また、段差面部２６の下端部に、上下方向に長い第２長孔２９が形成されている（図６，図７、図８，図９参照）。
【００１８】
図３に示すように、前記側壁２４の左右一対の側壁２４の下端部間（左右一対の第１支持フレーム２３の下端部間）に、第２支持フレーム３０（第２支持部に相当）が架設されている。第２支持フレーム３０は、板面が上下方向を向く板状に形成されている。この第２支持フレーム３０に、複数の長方形状の係止孔３１が形成されている。複数の係止孔３１は、第２支持フレーム３０の長手方向（装置本体１０の左右方向）に間隔（本実施形態では等間隔）を空けて並んでいる。
【００１９】
［下側カバー２０の構造］
下側カバー２０は板金製である。図２，図５に示すように、下側カバー２０は、横に長い長方形状のカバー本体３２を備えている。カバー本体３２は、装置本体１０の左右方向の略全長にわたる長さに設定されている。
【００２０】
カバー本体３２の上半部に、複数のネジ挿通孔３６が分散して形成されている。下側カバー２０は、複数のネジ挿通孔３６に各別に挿通された複数のネジにより装置本体１０に取り付けられて本固定される。この本固定前に、下側カバー２０を仮り保持する仮り保持機構５０（図１６，図１８，図２５参照）が設けられている。仮り保持機構５０については、後で詳しく説明する。
【００２１】
図５，図１３，図１５，図１８に示すように、カバー本体３２の左右一対の側部と上下両端部がカバー本体３２の裏側に折曲されている。これにより、前記左右一対の側部に第１フランジ３３Ａと第２フランジ３３Ｂが各別に形成され、前記上下両端部に第３フランジ３３Ｃと第４フランジ３３Ｄが各別に形成されている。
【００２２】
そして、第３フランジ３３Ｃの先端部から斜め上側にフラップ３４が立ち上がっている（図１５，図２９参照）。フラップ３４は第３フランジ３３Ｃの全長にわたって設けられている。下側カバー２０が装置本体１０に取り付けられて本固定された状態（図１参照）で、フラップ３４は、左右一対の上側カバー２１，２２の下端部の裏側に位置している（図２９参照）。これにより、フラップ３４が、下側カバー２０の外面の上端２０Ｊと左右一対の上側カバー２１，２２の外面の下端２１Ｋ，２２Ｋとの間の隙間Ａ２（図２参照）を目立たなくしている。従って、カバー取り付け構造の外観品質を向上させることができる。
【００２３】
図５に示すように、カバー本体３２の両側部を除く部分の上端部の裏面に、カバー本体３２の左右方向に長い第１補強部材３５が接合されている。第１補強部材３５は、装置本体１０側（下側カバー２０の裏側）が開放した断面Ｕ字状に形成されている。そして、第１補強部材３５の背面がカバー本体３２の裏面に溶接部を介して接合されている。
【００２４】
図５，図１５，図１８に示すように、カバー本体３２の第１フランジ３３Ａと第２フランジ３３Ｂの上端部に、カバー本体３２の裏側（装置本体１０の後方側）に突出する第１突出片３８が設けられている。第１突出片３８は上下方向に長く形成されている。第１突出片３８の下端部は、下向きの第１フック部３９（下向きフック状の第１被支持部に相当、図１５，図２２参照）に構成されている。
【００２５】
図１６，図１８，図２５に示すように、前記第１フック部３９と、装置本体１０の第１支持フレーム２３の第１長孔２８とで前記仮り保持機構５０を構成している。すなわち、図２２〜図２５に示すように、前記本固定前に、第１フック部３９が第１長孔２８に挿入係止して、第１長孔２８に下側から支持される。第１長孔２８には、板金製の下側カバー２０の重量が加わることから、前記段差面部２６の第１長孔２８の周りに板状の第２補強部材５２が設けられている。第２補強部材５２は、段差面部２６の裏面に重ね合わされて、溶接部を介して接合されている。
【００２６】
第１フック部３９のフック爪４０の上下方向の長さＡ１（図２３参照）は、上側カバー２１，２２の外面の下端２１Ｋ，２２Ｋ（図２参照）と下側カバー２０の外面の上端２０Ｊとの間の隙間Ａ２（図２，図２９参照）の１／２以下に設定されている。
【００２７】
図１３，図１４，図２１に示すように、カバー本体３２の下端部側の第４フランジ３３Ｄは、長手方向中間部が下側に折り曲げられている。
【００２８】
図５，図１３，図１４に示すように、カバー本体３２の下端部の左右中間部の裏面に、カバー本体３２の左右方向に長い断面Ｌ字状の部材４２の一片４３が溶接部を介して接合されている。
【００２９】
Ｌ字状の部材４２の他片４４は、前記一片４３の下端部からカバー本体３２の裏側に突出している。また、他片４４の先端部から複数の係止片４５が下側に突出している。複数の係止片４５は他片４４の長手方向に間隔（本実施形態では等間隔）を空けて並んでいる。複数の係止片４５のうち、一対の係止片４５は、前記他片４４の長手方向の両端部に各別に位置する。
【００３０】
前記他片４４と前記係止片４５とにより下向きの第２フック部４６（下向きフック状の第２被支持部に相当）が構成されている。つまり、下側カバー２０の下部に第２フック部４６が設けられている。第２フック部４６の複数の係止片４５（第２フック部４６のフック爪に相当）は、仮り保持の際に、前記第２支持フレーム３０の複数の係止孔３１（図３，図２０，図２１参照）に上側から各別に挿入係止する。
【００３１】
これにより、第２フック部４６が装置本体１０の第２支持フレーム３０に載置されて、下側カバー２０が第２支持フレーム３０に下側から支持される。図２０，図２１に示すように、装置本体１０の前後方向における係止孔３１の長さは、前記前後方向における係止片４５の長さ（係止片４５の板厚）の４〜５倍の長さに設定されている。従って、係止片４５は係止孔３１内において前記前後方向に自由に移動できる（移動自在である）。
【００３２】
すなわち、第２支持フレーム３０に支持された下側カバー２０は、装置本体１０に対して揺動開閉自在に、かつ、前記内外方向（本実施形態では、装置本体１０の前後方向、以下、同じ）に移動自在に構成されている。
【００３３】
係止片４５の先端部（下端部）は、下側ほど装置本体１０側（詳しくは、装置本体１０の前方側、以下、同じ）に位置するように折り曲げられて傾斜している（図１３，図２０参照）。その結果、係止片４５が係止孔３１に挿入される際に、係止片４５の先端部が係止孔３１の内周部にガイドされて、係止片４５が係止孔３１に挿入されやすくなる。
【００３４】
図５，図１３，図１４に示すように、カバー本体３２の第１フランジ３３Ａと第２フランジ３３Ｂ（左右一対のフランジ）の下端部に、カバー本体３２の裏側に突出する第２突出片４８が設けられている。
【００３５】
第２突出片４８は上下方向に長く形成されている。第２突出片４８の上端部は、上向きの第３フック部４９に構成されている。第３フック部４９は、装置本体１０の第１支持フレーム２３の第２長孔２９に挿入係止する（図１９参照）。
【００３６】
［下側カバー２０の仮り保持］
前記本固定前に下側カバー２０を仮り保持する場合、下側カバー２０の複数の第２フック部４６の係止片４５を、第２支持フレーム３０の複数の係止孔３１に各別に挿入する。そして、第２フック部４６を第２支持フレーム３０に載置させて、下側カバー２０を第２支持フレーム３０に下側から支持させる。その状態で、下側カバー２０を、装置本体１０の外側（詳しくは、装置本体１０の後方側、以下、同じ）から装置本体１０側に閉じ揺動させる（図４，図２１参照）。
【００３７】
下側カバー２０を閉じ揺動させた状態で、下側カバー２０のフラップ３４は、上側カバー２１，２２の下端部の下側に位置する（図２６参照）。また、下側カバー２０は、本固定位置よりも装置本体１０の外側に位置する（図２６参照）。
【００３８】
前述のように下側カバー２０を閉じ揺動させてから、下側カバー２０を上昇させる（図２３参照）。上側カバー２１，２２の下端部の下側に位置していたフラップ３４は、下側カバー２０を昇降させるに伴って、上側カバー２１，２２の下端部の裏側に挿抜されるよう構成されている（図２６，図２７参照）。また、フラップ３４は、下側カバー２０の昇降に伴って、上側カバー２１，２２の下端部の裏側に挿抜されるように、上端側ほど装置本体１０側に位置する傾斜姿勢に形成されている（図２９参照）。従って、下側カバー２０を上昇させると、フラップ３４が上側カバー２１，２２の下端部の裏側に挿入される。
【００３９】
フラップ３４が上側カバー２１，２２の下端部の裏側に挿入されてから、下側カバー２０を装置本体１０側に移動させ下降させて、第１フック部３９を第１長孔２８に係止させる（図２４，図２５参照）。これにより、下側カバー２０が第１支持フレーム２３の第１長孔２８に支持されて、装置本体１０に仮り保持される。また、下側カバー２０が本固定位置に位置する。
【００４０】
上記のように、下側カバー２０を装置本体１０側に閉じ揺動させるに伴って、第３フック部４９が、装置本体１０の第１支持フレーム２３の第２長孔２９に挿入係止する（図１９参照）。
【００４１】
前記第３フック部４９が前記第２長孔２９に挿入係止することで、カバー本体３２の下部が、装置本体１０の外側に開くことを阻止することができる。
【００４２】
上記の仮り保持状態で、複数のネジをカバー本体３２の複数のネジ挿通孔３６に各別に挿通させ、装置本体１０側の複数の雌ねじ部に各別に螺合して、下側カバー２０を装置本体１０に本固定する。本固定作業の際は、作業者が両手を使うことができて、作業性を向上させることができる。
【００４３】
［装置本体１０に本固定された下側カバー２０の取外し］
下側カバー２０を装置本体１０から取り外す際には、前記本固定を解除し、前記仮り保持を解除して、下側カバー２０を装置本体１０から取り外す。本固定の解除作業の際は、作業者が両手を使うことができて、作業性を向上させることができる。
【００４４】
下側カバー２０の取外し作業について詳述すると、本固定を解除した状態で、下側カバー２０を上昇させて（図２８参照）、第１支持フレーム２３の第１長孔２８による第１フック部３９の支持を解除する（図２４参照）。そして、下側カバー２０を装置本体１０の外側に移動させる（図２３，図２７参照）。さらに、下側カバー２０を自重により下降させるとともに（図２２，図２６参照）、装置本体１０の外側に開き揺動させて（図２１参照）、下側カバー２０を装置本体１０から取り外す。
【００４５】
カバー本体３２の下端部側の折り曲げられた前記フランジ部分３３Ｄ１は、下側カバー２０が所定の角度だけ開き揺動したときに、装置本体１０の第２支持フレーム３０に当接する。これにより、前記所定の角度を越える下側カバー２０の開き揺動が規制される。
【００４６】
下側カバー２０を装置本体１０の外側に移動させたとき、フラップ３４は、上側カバー２１，２２の下端部の裏面に接近する（図２７参照）。また、下側カバー２０を自重により下降させるに伴って、フラップ３４が、上側カバー２１，２２の下端部の裏側からその下側に抜け出る（図２６参照）。
【００４７】
これにより、フラップ３４を上側カバー２１，２２の下端部の裏側に挿抜する作業を簡単に行うことができて、作業性を向上させることができる。また、上側カバー２１，２２を装置本体１０に取り付けたままの状態で、下側カバー２０を装置本体１０から取外すことができる。その結果、上側カバー２１，２２を装置本体１０から取り外す必要がなくて、作業性を向上させることができる。
【００４８】
本実施形態のカバーの取り付け構造によれば、
（１）  下側カバー２０を仮り保持する際や仮り保持を解除する際、第２支持フレーム３０に下側カバー２０の第２フック部４６を載置させて下側カバー２０を支持させるから、作業者は軽い力で下側カバー２０を操作できる。その結果、作業者の負担を軽減できる。従って、下側カバー２０が金属製で重い場合に特に有利になり、作業性を向上させることができる。
【００４９】
（２）  仮り保持機構がバネ機構により構成されている構造に比べて、部品点数を削減でき、構造を簡素化でき、製作コストを低廉化することができる。
【００５０】
（３）  例えば、仮り保持機構がバネ機構により構成されている構造では、下側カバー２０が板金製であった場合、バネを強化したりバネを複数個設けたりしなければならない。これに対して、本実施形態では、下側カバー２０が板金製であっても、このような対策は不要である。従って、部品点数をより削減でき、構造をより簡素化でき、製作コストをより低廉化することができる。
【００５１】
（４）  下側カバー２０の裏側にバネ機構を収容するスペースが不要である。従って、下側カバー２０の裏側のスペースが小さくも、本実施形態のカバーの取り付け構造を構成することができ、設計の自由度を高くすることができる。
【００５２】
（５）  第１フック部３９のフック爪４０の長さＡ１が前記隙間Ａ２の１／２以下に設定されているから、第１フック部３９を第１長孔２８に係止及び係止解除させる際の第１カバー２０の昇降量を小さくできる。
その結果、下側カバー２０が重くても、第１フック部３９を第１長孔２８に容易に係止及び係止解除させることができる。これにより、下側カバー２０の装置本体１０への取り付け取り外し作業の作業性を向上させることができる。
また、前記隙間Ａ２が短くても、第１フック部３９を第１長孔２８から確実に係止解除させることができる。一例として、前記隙間Ａ２が２ｍｍ程度の場合、下側カバー２０を０．５ｍｍ〜１ｍｍ上昇させることで、第１フック部３９を第１長孔２８から係止解除させることができる。つまり、前記隙間Ａ２が短い構造において、下側カバー２０の装置本体１０からの取り外し作業を円滑に行うことができる。
さらに、前記隙間Ａ２を短くすることで、隙間Ａ２が目立たなくすることができて、カバーの取り付け構造の外観品質を、より向上させることができる。
そして、第１カバー２０は板金製であるから、長さＡ１が短い第１フック部３９のフック爪４０の耐久性を十分向上させることができる。
【００５３】
［別実施形態］
（１）  上側カバー２１，２２と下側カバー２０が、装置本体１０の側面、あるいは前面に設けられているカバーの取り付け構造にも本発明を適用することができる。
【００５４】
（２）  上側カバー２１，２２と下側カバー２０が、画像形成装置１以外の装置に設けられているカバーの取り付け構造にも本発明を適用することができる。
【００５５】
（３）  上記の実施形態で挙げた数値は一例であり、他の数値であってもよい。
【産業上の利用可能性】
【００５６】
本発明は、画像形成装置のカバーの取り付け構造について有用であり、特に、複写機、ファクシミリ、プリンター、及び複合機等のカバーの取り付け構造に有用である。
【符号の説明】
【００５７】
１０    装置本体
２０    下側カバー
２１    上側カバー（装置本体の後方から見て、左側の上側カバー）
２２    上側カバー（装置本体の後方から見て、右側の上側カバー）
２８    第１支持部（第１長孔）
３０    第２支持部（第２支持フレーム）
３１    係止孔
３４    フラップ
３９    第１被支持部（第１フック部）
４０    フック爪（第１フック部のフック爪）
４５    フック爪（第２フック部のフック爪）
４６    第２被支持部（第２フック部）
５０    仮り保持機構
Ａ１    フック爪の上下方向の長さ（第１フック部のフック爪の上下方向の長さ）
Ａ２    上側カバーの外面の下端と下側カバーの外面の上端との間の隙間
【図１】
2020140023.tif 000003
【図２】
2020140023.tif 000004
【図３】
2020140023.tif 000005
【図４】
2020140023.tif 000006
【図５】
2020140023.tif 000007
【図６】
2020140023.tif 000008
【図７】
2020140023.tif 000009
【図８】
2020140023.tif 000010
【図９】
2020140023.tif 000011
【図１０】
2020140023.tif 000012
【図１１】
2020140023.tif 000013
【図１２】
2020140023.tif 000014
【図１３】
2020140023.tif 000015
【図１４】
2020140023.tif 000016
【図１５】
2020140023.tif 000017
【図１６】
2020140023.tif 000018
【図１７】
2020140023.tif 000019
【図１８】
2020140023.tif 000020
【図１９】
2020140023.tif 000021
【図２０】
2020140023.tif 000022
【図２１】
2020140023.tif 000023
【図２２】
2020140023.tif 000024
【図２３】
2020140023.tif 000025
【図２４】
2020140023.tif 000026
【図２５】
2020140023.tif 000027
【図２６】
2020140023.tif 000028
【図２７】
2020140023.tif 000029
【図２８】
2020140023.tif 000030
【図２９】
2020140023.tif 000031